(57)【要約】【課題】簡単な構成で磁気処理を充分に且つ効果的に施すことが可能な低コストでコンパクトな磁気処理装置を提供する。【解決手段】磁気処理装置４は、各種吐水口に対して着脱自在に取り付け可能な磁気処理本体6a,6bと、磁気処理本体に内蔵され、永久磁石８が組み込まれた磁気発生部１０と、磁気処理本体に内蔵され、磁気発生部に沿って対向配置された磁性体部１２と、磁気発生部と磁性体部との間に形成され、飲み物が流動可能な所定幅の流路１４とを備えている。この構成において、磁気発生部と磁性体部との間には、流路の全体に亘って均一の磁力が作用しており、この流路内を飲み物が流動することにより、当該飲み物の全体に磁気処理が施される。これにより吐水口を通して流れる各種飲み物に磁気処理が施され、まろやかな口当たりで風味が良く且つ喉越しの良い飲み物が生成される。【選択図】    図１
2006000822.tif 000002
【特許請求の範囲】
【請求項１】
吐水口を通して流れる各種飲み物に磁気処理を施して、まろやかな口当たりで風味が良く且つ喉越しの良い飲み物を生成することが可能な磁気処理装置であって、
各種吐水口に対して着脱自在に取り付け可能な磁気処理本体と、
磁気処理本体に内蔵され、永久磁石が組み込まれた磁気発生部と、
磁気処理本体に内蔵され、磁気発生部に沿って対向配置された磁性体部と、
磁気発生部と磁性体部との間に形成され、飲み物が流動可能な所定幅の流路とを備えており、
磁気発生部と磁性体部との間には、流路の全体に亘って均一の磁力が作用しており、この流路内を飲み物が流動することにより、当該飲み物の全体に磁気処理が施されることを特徴とする磁気処理装置。
【請求項２】
磁気発生部には、複数の永久磁石が組み込まれており、少なくとも隣り合う一対の永久磁石は、同極同士が対向するように配列されていることを特徴とする請求項１に記載の磁気処理装置。
【請求項３】
磁気発生部には、複数の永久磁石を防水するための防水カバーが設けられており、この防水カバーは、非磁性体で形成されていることを特徴とする請求項１又は２に記載の磁気処理装置。
【請求項４】
磁気発生部は円筒状を成しており、磁性体部は、磁気発生部に対して同心円状に対向配置されていることを特徴とする請求項１〜３のいずれか１に記載の磁気処理装置。
【請求項５】
磁気発生部及び磁性体部は、支持板により磁気処理本体内に位置決め固定されており、支持板には、流路内を流動する飲み物の滞留時間を延長して当該飲み物に対する磁力の作用回数を増大させることが可能な磁力作用増大機構が設けられていることを特徴とする請求項１〜４のいずれか１に記載の磁気処理装置。
【請求項６】
磁力作用増大機構は、流路の流入口及び流出口にそれぞれ設けられており、これら流入口及び流出口に対向した複数の開口部を備えて構成され、
吐水口から磁気処理本体に取り込まれた飲み物は、複数の開口部から流入口を通って流路内を滞留しながら流動した後、流出口から複数の開口部を通って磁気処理本体から外部に吐出されることを特徴とする請求項５に記載の磁気処理装置。
【請求項７】
磁気処理本体内には、飲み物に含まれる異物を濾過するためのフィルタが設けられていることを特徴とする請求項１〜６のいずれか１に記載の磁気処理装置。
【発明の詳細な説明】
【技術分野】
【０００１】
本発明は、例えば飲料水やコーヒー、紅茶、アルコール類、ジュース類、乳飲料などの各種飲み物に磁気処理を施して、その飲み物に含まれる水の分子集団を細分化することにより、カルキ臭やカビ臭或いは赤錆などを除去し、まろやかな口当たりで風味が良く且つ喉越しの良い飲み物を生成することが可能な磁気処理装置に関する。
【背景技術】
【０００２】
日常使用される水には、例えば、カルシウムイオン、塩化物イオン、硫酸イオン、二酸化炭素などの各種成分が含まれており、例えばカルキ臭やカビ臭或いは赤錆やスケールといった障害の原因となっている。また、かかる障害は、飲み物にとって、まろやかさ、口当たりの良さ、風味の良さ、喉越しの良さなどを損なう要因ともなっている。
【０００３】
このような障害を除去するための技術として、例えば特許文献１に示すような蛇口直結型磁気処理浄水器が知られている。蛇口直結型磁気処理浄水器は、蛇口本体から延出した吐水パイプ(吐水口)に取り付けられるようになっており、その取付状態において、吐水パイプ(吐水口)の外側に複数の永久磁石が対向配置される。かかる構成によれば、吐水パイプ内を流れる水は、複数の永久磁石により磁気処理が施されて活性化される。
【０００４】
ところで、永久磁石の磁力をそのまま効果的に水に作用させるためには、永久磁石の間に障害物を介在させないことが好ましい。しかし、上述したような従来の磁気処理浄水器では、永久磁石の間に吐水パイプが介在しているため、永久磁石の磁力は吐水パイプで減ぜられてしまう。この場合、吐水パイプ内を流れる水全体に対して高い磁力を万遍無く均一に作用させることができないため、水全体に対する磁気処理を充分に且つ効果的に施すことが困難になってしまう(第１の問題)。
【０００５】
また、水に対して充分に且つ効果的に磁気処理を施すためには、永久磁石を水に近接して配置することが好ましい。しかし、上述したような磁気処理浄水器のように吐水パイプの外側に永久磁石を対向配置する構成では、吐水パイプの中央部分に向うに従って永久磁石からの距離が大きくなるため、それに応じて磁力の大きさ(強さ)が吐水パイプの中央部分に向うに従って小さく(弱く)なる。この場合、水全体に対して万遍無く均一の磁力を作用させることができないため、磁気処理の程度に差が出てしまう。つまり、吐水パイプを流れる水に対して充分に磁気処理を施すことができる部分とそうでない部分とが生じ、その結果、水全体に対する磁気処理を充分に且つ効果的に施すことが困難になってしまう(第２の問題)。
【０００６】
このような第１及び第２の問題によれば、吐水パイプ内を流れる水(特に中央部分を流れる水)に対する磁気処理が不十分になり、例えばカルキ臭やカビ臭或いは赤錆やスケールといった障害の原因(例えば、カルシウムイオン、塩化物イオン、硫酸イオン、二酸化炭素などの各種成分)を完全に抑制することができない。この結果、まろやかな口当たりで風味が良く且つ喉越しの良い飲み物を生成できなくなってしまう。そして、かかる障害の原因を完全に抑制できない水は、雑菌が繁殖し易くなるだけで無く、例えば排水口などのヌメリや悪臭の要因ともなる。
【０００７】
更に、従来の磁気処理浄水器では、濾過処理を施すための部分が磁気処理を施す部分とは別に増設されているため、部品点数が増加して装置全体が大型化すると共に製造コストも上昇してしまう。ところで、蛇口周りは、ある程度のスペースを確保した設計になっているが、このような蛇口に大型の磁気処理浄水器を取り付けると、その分だけスペースが削られてしまう。例えば蛇口が配設されたシンクでは、大型の磁気処理洗浄器を蛇口に取り付けることにより、その分だけシンクスペースが削られることで、シンク内で食器類をスムーズに且つ効率良く洗浄することが困難になってしまう(第３の問題)。
【特許文献１】特開２００４−８８７５号公報
【発明の開示】
【発明が解決しようとする課題】
【０００８】
本発明は、このような問題を解決するためになされており、その目的は、簡単な構成で磁気処理を充分に且つ効果的に施すことが可能な低コストでコンパクトな磁気処理装置を提供することにある。
【課題を解決するための手段】
【０００９】
このような目的を達成するために、本発明の磁気処理装置は、各種吐水口に対して着脱自在に取り付け可能な磁気処理本体と、磁気処理本体に内蔵され、永久磁石が組み込まれた磁気発生部と、磁気処理本体に内蔵され、磁気発生部に沿って対向配置された磁性体部と、磁気発生部と磁性体部との間に形成され、飲み物が流動可能な所定幅の流路とを備えている。この構成において、磁気発生部と磁性体部との間には、流路の全体に亘って均一の磁力が作用しており、この流路内を飲み物が流動することにより、当該飲み物の全体に磁気処理が施される。これにより吐水口を通して流れる各種飲み物に磁気処理が施され、まろやかな口当たりで風味が良く且つ喉越しの良い飲み物が生成される。
【発明の効果】
【００１０】
本発明の磁気処理装置によれば、例えば、飲料水やコーヒー、紅茶、アルコール類、ジュース類、乳飲料などの飲み物全体に均一の磁力で万遍無く充分に且つ効果的に磁気処理を施して、その飲み物に含まれる水の分子集団を細分化することにより、まろやかな口当たりで風味が良く且つ喉越しの良い飲み物を生成することが可能となる。更に、コンパクトに磁気処理装置を構成することができるため、この磁気処理装置を取り付ける蛇口周りのスペースを削ることも無い。
【発明を実施するための最良の形態】
【００１１】
以下、本発明の一実施の形態に係る磁気処理装置について、添付図面を参照して説明する。なお、磁気処理装置としては、例えば、水道管を介して供給される飲料水や生活用水用の蛇口(吐水口)に取り付けるタイプ、コーヒーメーカーの吐水口に取り付けるタイプ、紅茶やジュース類の自動販売機の吐水口に取り付けるタイプ、アルコール類の貯蔵タンクの吐水口に取り付けるタイプなど各種のタイプを想定することができる。
図１(ａ)には、本実施の形態の磁気処理装置の一例として、水道管を介して供給される飲料水や生活用水用の蛇口２に取り付けるタイプの磁気処理装置４の取り付け構成例が示されている。この構成例において、磁気処理装置４は、蛇口２から延出した吐水パイプ２ａの先端(図示しない吐水口)に着脱自在に取り付けられている。
【００１２】
図１(ｂ)〜(ｆ)に示すように、磁気処理装置４は、吐水パイプ２ａの先端(吐水口)に対して着脱自在に取り付け可能な磁気処理本体6a,6bを備えており、磁気処理本体6a,6bには、永久磁石８が組み込まれた磁気発生部１０と、磁気発生部１０に沿って対向配置された磁性体部１２とが内蔵されている。また、磁気発生部１０と磁性体部１２との間には、飲み物が流動可能な所定幅の流路１４が形成されており、流路１４の全体に亘って均一の磁力が作用するようになっている。そして、流路１４内を飲み物が流動することにより、当該飲み物の全体に磁気処理が施される。
【００１３】
磁気処理本体6a,6bは、上部本体６ａと下部本体６ｂとから構成され、これらを互いに接合することにより、中空の球体を成している。そして、上部本体６ａの内周面には、補強用のリブ１６が周方向に沿って等間隔に複数枚配設されている。この場合、磁気処理本体6a,6bの形状は球体に限定されることは無く、例えば中空円筒状や中空楕円状など使用目的や使用環境に応じて任意の形状や大きさに設計することが可能である。
【００１４】
また、上部本体６ａの上端(下部本体６ｂとは反対側の端部)は円形に開口されており、その外周面にはネジ構造(例えば、雄ネジ)１８が施され、固定用リングキャップ２０を螺合させることができるようになっている。なお、固定用リングキャップ２０の内周面にはネジ構造(例えば、雌ネジ)２２が施されており、固定用リングキャップ２０を上部本体６ａの上端に整合させた状態で固定用リングキャップ２０を回して雌ネジ１８と雄ネジ２２とを噛み合わせることにより、固定用リングキャップ２０を上部本体６ａに螺合させることができる。
【００１５】
固定用リングキャップ２０の中央部分は開口２０ａしており、その開口２０ａに固定用リング２４を介在させることができるようになっている。また、上部本体６ａの上端(開口)は、カバー体２６で閉塞されるようになっており、このカバー体２６上に環状パッキン２８が支持されている。この場合、まず固定用リングキャップ２０の開口２０ａを蛇口２の吐水パイル２ａに通し、次に固定用リング２４の開口２４ａを吐水パイプ２ａの先端(吐水口)に外側から嵌め合わせた後、固定用リングキャップ２０を上部本体６ａに螺合させると、吐水パイプ２ａの先端(吐水口)は、固定リング２４と環状パッキン２８との間で密着挟持された状態で固定される。
【００１６】
この結果、磁気処理装置４は、蛇口２から延出した吐水パイプ２ａの先端(吐水口)に着脱自在に取り付けられた状態となる。なお、固定用リングキャップ２０を回して上部本体６ａから外すことにより簡単に磁気処理装置４を取り外すことができる。
なお、環状パッキン２８の材料としては、例えば、ニトルゴム、フッ素ゴム、シリコーンゴム、アクリルゴム、ウレタンゴムなどを適用することが可能であるが、これに限定されることは無く、パッキンとして使用することが可能な材料であれば任意に選択することが可能である。
【００１７】
なお、固定用リング２４としては、例えば図２(ａ)〜(ｃ)に示すような構成を適用することが可能である。なお、同図(ａ)は上面図、同図(ｂ)は断面図、同図(ｃ)は下面図である。このような固定用リング２４には、その開口２４ａの一部に複数の凹部２４ｂ(図面では２個の凹部)が形成されていると共に、一箇所に切欠２４ｃが施されている。これにより固定用リング２４は、切欠２４ｃを境に分断され、その結果、全体的に弾性変形可能な状態となっている。例えば切欠２４ｃの隙間が大きくなるように弾性変形することにより、開口２４ａの開口径を大きくすることができる。このため、固定用リング２４の開口２４ａを吐水パイプ２ａの先端(吐水口)に外側から嵌め合わせる作業をスムーズに行うことが可能となる。また、固定用リング２４を吐水パイプ２ａに嵌め合わせた後において、固定用リング２４には、開口２４ａの開口径を元の状態に小さく復帰しようとする弾性力が生ずるため、これにより固定用リング２４は、吐水パイプ２ａを挟持した状態に維持される。
【００１８】
また、飲み物に対する磁気発生部１０の磁気処理能力を高めるために(磁力を最大限に発生させるために)、磁気発生部１０に設けられた複数の永久磁石８は、同極同士が対向するように配列されている。なお、本実施の形態では、円板状の永久磁石８を想定しており、かかる形状の永久磁石８を例えば６個積層することにより、円筒状の磁気発生部１０が構成されている。
図４(ａ)には、複数の永久磁石８の配列の一例が示されており、６個の永久磁石８の中間に１枚の磁性体３０を介在させ、この磁性体３０を挟んで両側の永久磁石８の磁極が同極(Ｎ極)同士で対向している。なお、同図では、Ｎ極同士を対向させているが、Ｓ極同士が対向するように永久磁石８を配列しても良い。
【００１９】
また、磁性体３０の材料としては、例えば４００番系(４０３,４０５,４１０,４３０,４３４)のステンレス(ＳＵＳ)を適用することができるが、特にステンレス４３０が好ましい。なお、永久磁石８と磁性体３０の組合せは、これ以外に例えば図４(ｂ),(ｃ)に示すように配列しても良い。また、永久磁石８や磁性体３０の個数や配列は、図４に示された枚数や配列に限定されることは無く、使用目的や使用環境に応じて任意の枚数や配列にすることができることは言うまでも無い。
【００２０】
この場合、磁気発生部１０に適用可能な永久磁石８の一例としては、ネオジウム系磁石を適用することが好ましい。ネオジウム系磁石は、市販されている永久磁石の中では最も強力な磁石であり、その磁力は、通常のフェライト磁石の１０倍以上、アルニコ磁石の６〜７倍である。この結果、ネオジウム系磁石を用いた磁気発生部１０では、略７０００ガウス程度の強力な磁力を発生させることが可能となる。ただし、ネオジウム磁石は熱に弱く、一定の温度を超過すると磁力が低下する場合がある。そのような場合を考慮すると、耐熱ネオジウム磁石を適用しても良い。なお、これ以外の永久磁石８として、例えば、フェライト磁石(Ｂａフェライト、Ｓｒフェライト)、アルニコ磁石、サマリウム系磁石を適用しても良い。
【００２１】
なお、磁気発生部１０の永久磁石８としてネオジウム系磁石を適用した場合には、これら永久磁石８を防水するための防水カバー３２(図１(ｂ))を設けることが好ましい。この場合、防水カバー３２は、複数の永久磁石８を覆ってその内部が気密及び液密状態となるように設けられる。また、防水カバー３２の材料は、永久磁石８を防水できるようなものであれば任意の材料(例えば、樹脂、ゴムなど)を適用することが可能であるが、永久磁石８の磁力を減ずることの無い非磁性体で形成することが必要である。
【００２２】
磁性体部１２は、上述したような磁気発生部１０に沿って同心円状に対向配置されている。具体的には、磁性体部１２は中空筒状を成しており、円筒状の磁気発生部１０の外側全体を覆うように同心円状に対向配置されている。この場合、流路１４の幅Ｗが一定寸法値となるように、磁気発生部１０に対して磁性体部１２を位置決めすることが好ましい。これにより、流路１４の全体に亘って均一の磁力を作用させることが可能となる。
なお、流路１４の幅Ｗを小さくすれば流路１４を流れる飲料水に対する磁気処理効果を向上させることができる。しかしながら、あまり小さくすると飲料水の流動効率が低下してしまう。そこで、流路１４の幅Ｗは、２ｍｍ〜９ｍｍの範囲(特に、２ｍｍ)に設定することが好ましい。
【００２３】
また、磁気発生部１０及び磁性体部１２は、支持板34,36により磁気処理本体6a,6b内に位置決め固定されるようになっている。支持板34,36は、磁気発生部１０及び磁性体部１２の両端(上端、下端)にそれぞれ配置されており、図３(ａ)〜(ｆ)に示すように、上端及び下端の支持板(上端支持板３４、下端支持板３６)には、磁気発生部１０及び磁性体部１２を支持するための支持凹所34a,36aが設けられている。この場合、上端支持板３４の支持凹所３４ａには、磁気発生部１０の上端中央に形成された突起端１０ａ(図１(ｂ))を嵌め込むことが可能な嵌込凹部３４ｂが設けられており、一方、下端支持板３６の支持凹所３６ａには、磁気発生部１０の下端１０ｂ(図１(ｂ))を嵌め込むことが可能な嵌込凹部３６ｂが設けられている。
【００２４】
このような構成において、磁気発生部１０及び磁性体部１２の両端を上端支持板３４及び下端支持板３６の支持凹所34a,36aに嵌合する際に、磁気発生部１０の突起端１０ａ及び下端１０ｂを嵌込凹部３４ｂ及び３６ｂに嵌め込むことにより、流路１４の幅Ｗが一定寸法値となるように磁気発生部１０及び磁性体部１２を位置決め支持(固定)することができる(図１(ｂ))。
【００２５】
なお、下端支持板３６(支持凹所３４ａ)の肉厚は、その中央部Ｐ(後述する磁力作用増大機構の複数の開口部の内側部分)を連続的に薄肉化し、ある程度の弾性を持たせている(図３(ｅ))。これにより、磁気発生部１０及び磁性体部１２を位置決めして固定支持した後に、複数の永久磁石８は磁気発生部１０内に弾性保持された状態に維持される。この場合、磁気処理装置４を落としたり外力が作用して磁気発生部１０に衝撃力が加わったときでも、その衝撃力は薄肉化した下端支持板３６で吸収され、複数の永久磁石８に直接作用することは無いため、各永久磁石８が損傷したり割れたりするのを防止することが可能となる。
【００２６】
また、図１(ｂ)及び図３に示すように、上端支持板３４及び下端支持板３６の支持凹所34a,36aには、流路１４内を流動する飲み物の滞留時間を延長して当該飲み物に対する磁力の作用回数を増大させることが可能な磁力作用増大機構が設けられている。
磁力作用増大機構は、流路１４の流入口１４ａ及び流出口１４ｂにそれぞれ設けられており、これら流入口１４ａ及び流出口１４ｂに対向した複数の開口部34c,36cを備えて構成されている。この場合、流路１４は環状を成しているため、その流入口１４ａ及び流出口１４ｂに対向した複数の開口部34c,36cも環状に配列されている。
【００２７】
このような構成によれば、吐水口から磁気処理本体6a,6bに取り込まれた飲み物は、上端支持板３４の複数の開口部３４ｃから流入口１４ａを通って流路１４内を滞留しながら流動した後、流出口１４ｂから下端支持板３６の複数の開口部３６ｃを通って磁気処理本体6a,6bの吐水開口部３８から外部に吐出される。このように複数の開口部34c,36cを設けることにより、流路１４を流れる飲み物の流動方向を螺旋状にすることができるため、その分だけ流路１４内に滞留する時間を長引かせることが可能となる。その結果、飲み物に対する磁力の作用回数が増大し、充分に且つ効果的に磁気処理を施すことができる。
なお、各開口部34c,36cの形状は、図３のような長楕円形状に限定されることは無く、円形状であっても良い。また、開口部34c,36cの個数も図３に示した個数(６個)に限定されることは無く、６個以上或いはそれ以下であっても良い。
【００２８】
また、図１(ｂ)に示すように、磁気処理本体6a,6b内には、飲み物に含まれる異物(例えば、水道水ではゴミやたんぱく質、水垢)を濾過するためのフィルタ４０が設けられている。フィルタ４０は、磁気処理装置４の上部本体６ａと下部本体６ｂとにそれぞれ内蔵されている。上部本体６ａに内蔵されたフィルタ４０は、カバー体２６の窪み部２６ａ(図２(ｄ)〜(ｆ))に固定されており、一方、下部本体６ｂに内蔵されたフィルタ４０は、吐水開口部３８を覆うように固定されている。
このように二箇所にフィルタ４０を設けることにより、異物を完全に除去することができるため、異物感の無い美味しい飲み物を提供することが可能となる。なお、フィルタ４０は、二箇所に限定されることは無く、いずれか一方或いは３箇所以上設けても良い。
【００２９】
ここで、磁気処理装置４の組立方法について簡単に説明する。
まず、上端支持板３４及び下端支持板３６で位置決め支持(固定)された磁気発生部１０及び磁性体部１２を磁気処理本体6a,6b(上部本体６ａ)の上端開口から挿入する。このとき、下端支持板３６が下部本体６ｂの位置決め凸部４２で位置決めされ、同時に、上端支持板３４が上部本体６ａの位置決め段部４４で位置決めされる。このとき、下端支持板３６は、位置決め凸部４２の内側にセットされたパッキンリング４６(図１(ｂ))に圧着した状態に維持される。
【００３０】
次に、上部本体６ａの上端開口からカバー体２６を挿入すると、このカバー体２６の下端面に形成された凹部２６ｂ(図２(ｄ)〜(ｆ))が、上部支持板３４の上端面に形成された凸部３４ｄ(図１(ｂ)、図３(ａ)〜(ｃ))に嵌合することにより、カバー体２６が上端開口に位置決めされる。
続いて、カバー体２６上に環状パッキン２８をセットした後、固定用リング２４を介在させた状態で固定用リングキャップ２０を上部本体６ａに螺合させることにより、図１(ａ)〜(ｄ)に示すような磁気処理装置４が完成する。
【００３１】
なお、このような磁気処理装置４により磁気処理が施される飲み物としては、低温から高温に至るものが想定される。そのため、磁気処理本体6a,6b、固定用リングキャップ２０、固定用リング２４、カバー体２６、上端支持板３４、下端支持板３６に適用可能な樹脂材料の一例としては、アクリロニトリルブタジエンスチレン(ＡＢＳ樹脂)を適用することが好ましい。ＡＢＳ樹脂とは、アクリロニトリル、ブタジエン、スチレンを主原料とする高剛性、衝撃性、耐熱性に優れたアクリル系樹脂である。なお、これ以外の樹脂材料として、例えば、ポリアミド、ポリプロピレン、ポリエチレン、ポリカーボネートなどの樹脂材料を適用しても良い。
【００３２】
次に、例えば図１(ａ)に示すように、磁気処理装置４を蛇口２の吐水パイプ２ａの先端(吐水口)に取り付けて、水道水に磁気処理を施すプロセスについて説明する。
吐水パイプ２ａを通って吐水口から磁気処理本体6a,6bに取り込まれた水道水は、環状パッキン２８の開口２８ａからフィルタ４０を通って水溜まり部４８に導入された後、上端支持板３４の複数の開口部３４ｃから流入口１４ａを通って流路１４内に流れ込む。
流路１４内に流れ込んだ水道水は、ここで滞留しながら流動する間に、磁気発生部１０と磁性体部１２との間に生じた磁力作用(磁界或いは磁場)を受けることにより、磁気処理が施される。
【００３３】
磁気処理とは、磁界の中で導体(水)が動くと導体に電流が流れる現象(電磁誘導現象)を利用した処理方法であり、水に磁気処理する際には、水が磁界(磁場)に対して直角に通過することが条件になる。これはフレミングの右手の法則により、磁界、電流、水流(力)が互いに直角に作用することで磁気処理が成立するからである。
そして、流路１４内を流動し磁気処理が施された水道水(磁気を帯びた水)は、流出口１４ｂから下端支持板３６の複数の開口部３６ｃを通って水溜まり部５０に導入された後、フィルタ４０から吐水開口部３８を経て磁気処理本体6a,6bの外部に吐出される。
【００３４】
このような磁気処理プロセスによれば、例えば錆やスケールといった障害の原因となり得る各種成分(例えば、カルシウムイオン、塩化物イオン、硫酸イオン、二酸化炭素など)の結晶構造が変化し、その結晶が大きくならない安定した平衡形になる。この結果、まろやかな口当たりで風味が良く且つ喉越しの良い飲み物を提供することができる。同時に、フィルタ４０により異物を完全に除去することができるため、異物感の無い美味しい飲み物を提供するができる。
【００３５】
なお、本発明は、上述した実施の形態に限定されることは無く、以下のように変更することが可能である。
上述の実施の形態において、磁性体部１２は磁気発生部１０の外側全体を覆うように同心円状に対向配置したが、これとは逆に例えば図５に示すように、磁性体部１２の外側全体を覆うように磁気発生部１０を同心円状に対向配置させても同様の作用効果を実現することができる。この場合、磁気発生部１０の各永久磁石８及び磁性体３０は、環状に形成されることになる。
また、上述した実施の形態では、球状の磁気処理装置４を例示しているが、これに限定されることは無く、例えば楕円状や円柱状、三角形状や四角形状など使用環境や使用目的或いは利用者のニーズに応じて任意の形状とすることができる。
【図面の簡単な説明】
【００３６】
【図１】本発明の一実施の形態に係る磁気処理装置の構成を示す図であって、(ａ)は、蛇口の吐水パイプの先端に磁気処理装置を取り付けた構成例を示す図、(ｂ)は、磁気処理装置の内部構成を示す断面図、(ｃ)は、磁気処理装置の内部構成を示す部分断面図、(ｄ)は、同図(ｃ)の上面図、(ｅ)は、同図(ｄ)の下面図。
【図２】(ａ)は、固定用リングの上面図、(ｂ)は、固定用リングの断面図、(ｃ)は、固定用リングの下面図、(ｄ)は、カバー体の上面図、(ｅ)は、カバー体の断面図、(ｆ)は、カバー体の下面図。
【図３】(ａ)は、上端支持板の上面図、(ｂ)は、上端支持板の断面図、(ｃ)は、上端支持板の下面図、(ｄ)は、下端支持板の上面図、(ｅ)は、下端支持板の断面図、(ｆ)は、下端支持板の下面図。
【図４】(ａ)〜(ｃ)は、磁気発生部における複数の永久磁石の配列の構成例を示す図。
【図５】本発明の変形例に係る磁気処理装置の断面構成図。
【符号の説明】
【００３７】
４  磁気処理装置
6a,6b  磁気処理本体
８  永久磁石
１０  磁気発生部
１２  磁性体部
１４  流路
【図１】
2006000822.tif 000003
【図２】
2006000822.tif 000004
【図３】
2006000822.tif 000005
【図４】
2006000822.tif 000006
【図５】
2006000822.tif 000007